(57)【要約】    【課題】    吸収体の肌へのフィット性に優れており、構造が比較的簡易で安価に製造可能な使い捨ておむつを提供すること。    【解決手段】  本発明の使い捨ておむつ１は、吸収体４の長手方向の側縁に切込部４４が形成されており、切込部４４と重なるように弾性部材６３が配設されている。切込部４４は弾性部材６３によって閉鎖される。切込部４４は、好ましくは後身頃に形成されており、吸収体４の長手方向の両端縁のうちの近い方に向かって延びるように形成されている。【選択図】    図１
2006043067.tif 000002
【特許請求の範囲】
【請求項１】
吸収体の長手方向の側縁に切込部が形成されており、自然状態で前記切込部が閉じるように、弾性部材が配設されている使い捨ておむつ。
【請求項２】
前記切込部は、前記使い捨ておむつを、おむつ幅方向に延びる中心線を境にして前身頃と後身頃に区分したときの後身頃に形成されており、前記吸収体の長手方向の両端縁のうちの近い方に向かって延びるように形成されている請求項１記載の使い捨ておむつ。
【請求項３】
前記弾性部材は、前記切込部と交差するように配されており、その交差角度が４５〜９０°である請求項１又は２記載の使い捨ておむつ。
【請求項４】
前記弾性部材は、前記吸収体の左右両側にそれぞれ配されており、左右の各弾性部材は、一端部が背側領域に配されており、他端部が股下領域を背側股下部と腹側股下部とに区分したときの背側股下部において前記吸収体と重なるように配されている、請求項１〜３の何れか記載の使い捨ておむつ。
【請求項５】
ウエスト開口部及び一対のレッグ開口部が形成されているパンツ形の使い捨ておむつであり、
ウエスト回り領域及び胴回り領域がそれぞれ周方向に弾性伸縮性を有しており、
前記ウエスト回り領域を、おむつの幅方向に荷重１０Ｎとなるまで伸張させた後、荷重１０Ｎ時の長さと自然長との中間の長さまで収縮させた時点の荷重（ａ）が３．０〜５．０Ｎであり、
前記胴回り領域を、おむつの幅方向に荷重１０Ｎとなるまで伸張させた後、荷重１０Ｎ時の長さと自然長との中間の長さまで収縮させた時点の荷重（ｂ）が０．５〜２．０Ｎであり、
前記ウエスト回り領域の前記荷重（ａ）に対する前記胴回り領域の前記荷重（ｂ）の比（ｂ／ａ）が０．５０以下であり、
前記使い捨ておむつを、おむつ幅方向に延びる中心線を境にして前身頃と後身頃に区分したときの前身頃における、一対の前記レッグ開口部間に位置する領域の面積が１５０〜７００ｃｍ2である、請求項１〜４の何れか記載のパンツ型使い捨ておむつ。
【請求項６】
前記前身頃と前記後身頃とを、表面シート側の面同士を面接させて重ね合わせた状態において、前記各レッグ開口部の開口縁部に囲まれた各領域の面積（ｃ）と、前記前身頃における、一対の前記レッグ開口部間に位置する領域の面積（ｄ）との比（ｃ／ｄ）が０．３０〜０．７５である請求項５記載の使い捨ておむつ。
【請求項７】
一対の前記レッグ開口部間の幅の最小値が１００〜２００ｍｍである請求項５又は６記載の使い捨ておむつ。
【請求項８】
前記胴回り領域の自然長に対する前記ウエスト回り領域の自然長の比が０．７０〜１.００である請求項５〜７の何れか記載の使い捨ておむつ。
【請求項９】
前記吸収体の幅方向中央部には、該吸収体の長手方向の全長にわたって弾性部材が配されておらず、前記弾性部材のおむつ幅方向中央側の端部同士の離間距離が、おむつ全幅の１／５〜３／５である請求項５〜８の何れか記載の使い捨ておむつ。
【発明の詳細な説明】
【技術分野】
【０００１】
本発明は、使い捨ておむつに関する。
【背景技術】
【０００２】
使い捨ておむつの吸収体は、おむつの製造工程においては、平面的な形状をなしており、おむつ使用時に、各部の弾性部材の収縮作用により立体的な形状とされるのが一般的である。しかし、立体的な形状となる際に、吸収体に不規則なシワが生じて、吸収体の肌へのフィット性が悪化することがある。特に、股下領域に充分な吸収容量を確保するために、吸収体の幅を比較的大きめにした場合に、吸収体の肌へのフィット性の悪化の程度が大きい。
【０００３】
特開昭６１−１７１９１９号公報（特許文献１）には、両側の長辺部と両端の短辺部とからなるナプキン本体の長辺部に、適宜の間隔で複数の切込部を形成することにより、長辺部の中間部に変形容易な変形部を形成した生理用ナプキンが記載されている。しかし、切込部を形成するのみでは、着用者の動きによって変形部が不規則に変形して設計通りに変形しない。また、切込部の存在により漏れ防止性能を低下させる恐れがある。
【０００４】
また、特許３０２０００３号公報（特許文献２）には、複数本の吸収性パッドを、平らな支持体表面に互いに間隔を置いて並べて配置し、これらの吸収性パッドを、予め伸張された弾性部材を用いて相互に接続することにより、立体的に湾曲した形状の吸収体とする技術が記載されている。しかし、この使い捨ておむつは、構造が複雑であり、加工性にも劣る。
【０００５】
【特許文献１】特開昭６１−１７１９１９号公報
【特許文献２】特許３０２０００３号公報
【発明の開示】
【発明が解決しようとする課題】
【０００６】
従って、本発明の目的は、吸収体の肌へのフィット性に優れており、構造が比較的簡易で安価に製造可能な使い捨ておむつを提供することにある。
【課題を解決するための手段】
【０００７】
本発明は、吸収体の長手方向の側縁に切込部が形成されており、自然状態で前記切込部が閉じるように、弾性部材が配設されている使い捨ておむつを提供することにより前記目的を達成したものである。
【発明の効果】
【０００８】
本発明の使い捨ておむつは、吸収体の切込部を弾性部材で閉じることにより、吸収体シワの発生を抑制しつつ、吸収体を立体形状に保持することができる。その結果、本発明の使い捨ておむつは、吸収体の肌へのフィット性に優れており、また、構造が比較的簡易で安価に製造可能である。
【発明を実施するための最良の形態】
【０００９】
以下、本発明をその好ましい実施形態に基づいて説明する。
図１〜３に示す使い捨ておむつ１は、成人用のパンツ型おむつであり、液透過性の表面シート２、液不透過性の裏面シート３及び液保持性の吸収体４を備え、着用時に着用者の腹側に配される腹側領域Ａ、背側に配される背側領域Ｂ及びこれらの間に位置する股下領域Ｃを有し、腹側領域Ａの両側縁部Ａ１，Ａ１と背側領域Ｂの両側縁部Ｂ１，Ｂ１とがヒートシール、高周波シール、超音波シール等の公知の接合手段により接合されて、一対のサイド接合部２３，２３、ウエスト開口部５及び一対のレッグ開口部６，６が形成されている。
【００１０】
おむつ１は、図２及び図３に示すように、吸収性本体１０と、該吸収性本体１０の外面（着用者とは反対側に向けられる面）側に位置して該吸収性本体１０を固定している外装体２０とからなる。吸収性本体１０は、縦長の形状を有しており、表面シート２、裏面シート３及び吸収体４を具備する。吸収体４は、表面シート２及び裏面シート３間に挟持固定されている。吸収性本体１０の長手方向の左右両側には、一対の立体ガード７が形成されている。吸収性本体１０は、その長手方向を、展開且つ伸張状態（図２に示す状態）におけるおむつ長手方向に一致させて、外装体２０の中央部に公知の接合手段（接着剤等）により接合されている。
【００１１】
ここで、展開且つ伸長状態とは、各部の弾性部材を伸長させて、設計寸法（弾性部材の影響を一切排除した状態で平面状に広げたときの寸法と同じ）となるまで拡げた状態をいう。腹側領域の両側縁部と背側領域の両側縁部とが互いに接合されているパンツ型おむつの場合は、サイド接合部を引き剥がして（サイド接合部がない場合は着用者の左右側部に位置するおむつ側部を切断して）、おむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。本明細書に記載の各部の寸法や角度等は、特に説明しない限り、展開且つ伸長状態のおむつについて測定する。
【００１２】
外装体２０は、図３に示すように、おむつの外表面（着用者とは反対側に向けられる面）を形成している外層シート２１と、該外層シート２１に隣接してその内側に積層接着された内層シート２２とを具備し、これら両シート間に、後述する各部の弾性部材５１，６１，６２，６３，６４，７１が、ホットメルト型接着剤等の接着剤を用いて伸張状態で固定されている。
【００１３】
おむつ１においては、腹側領域Ａ及び背側領域Ｂそれぞれにおけるウエスト部Ｄ１，Ｄ２に、それぞれ複数本のウエスト弾性部材５１が、それぞれおむつ幅方向に沿って配されている。これらのウエスト弾性部材５１により、ウエスト開口部５の開口周縁部に、実質的にその全周に亘るウエストギャザーが形成されている。
【００１４】
また、腹側領域Ａ及び背側領域Ｂそれぞれにおける胴回り部Ｅ１，Ｅ２には、それぞれ複数本の胴回り弾性部材７１が、それぞれおむつ幅方向に沿って配されている。胴回り弾性部材７１は、図２に示すように、おむつ幅方向の左右に分割されているものと、幅方向の左右で連続したものとがあり、吸収体４の長手方向の両端縁それぞれより股下領域Ｃ側に配されている胴回り弾性部材７１は、おむつ幅方向の左右に分割されている。
【００１５】
成人用のおむつにおいて、ウエスト部Ｄ１，Ｄ２とは、腹側領域Ａ及び背側領域Ｂそれぞれにおけるウエスト端縁５０Ａ，５０Ｂから股下領域Ｃ方向に５０ｍｍまでの領域であり、胴回り部Ｅ１，Ｅ２とは、腹側領域Ａ及び背側領域Ｂそれぞれにおける、前記ウエスト部Ｄ１，Ｄ２よりも更に股下領域Ｃ方向に位置する領域である。腹側領域Ａ及び背側領域Ｂとは、腹側及び背側において一対のレッグ開口部６、６の上端部６５、６５の位置よりも上方に位置する領域である。また、股下領域Ｃとは、一対のレッグ開口部６、６の上端部６５、６５の位置よりも下方に位置する領域である。ウエスト回り領域Ｄは、背側領域Ｂのウエスト部Ｄ１と腹側領域Ａのウエスト部Ｄ２とを合わせた領域であり、胴回り領域Ｅは、背側領域Ｂの胴回り部Ｅ１と腹側領域Ａの胴回り部Ｅ２とを合わせた領域である。
【００１６】
また、左右のレッグ部６０には、第１及び第２のレッグ弾性部材６１，６２が配されており、これらのレッグ弾性部材６１，６２により、レッグ開口部６それぞれの開口周縁部に、実質的にその全周に亘って実質的に連続するレッグギャザーが形成されている。
【００１７】
吸収体４は、図２に示すように、おむつ長手方向と同方向に長い形状を有しており、該吸収体の長手方向の一端が背側領域Ｂに位置し他端が腹側領域Ａに位置している。吸収体４の長手方向の両側縁４１，４１は、図２に示すように、股下領域Ｃにおいては外装体の両側縁の形状に沿った概略形状を有している。
【００１８】
吸収体４の両側縁には切込部４４、４５が形成されている。好ましくは、前記吸収体４の長手方向の両側縁４１それぞれから、該吸収体４の長手方向の両端縁４２，４３のうちの近い方に向かって延びる切込部４４，４５が形成されている。「両端縁部４２，４３のうちの近い方」とは、個々の切込部について、その切込部に近い方という意味である。また、「両端縁４２，４３のうちの近い方に向かって延びる」とは、近い方の端縁に向かって延びる場合と、近い方の端縁の延長線に向かって延びる場合の両者が含まれる。
【００１９】
本おむつ１においては、おむつ幅方向に延びる中心線ＣＬを（図２参照）を境にして前身頃Ａと後身頃Ｂに区分したときの後身頃Ｂに、前記吸収体の長手方向の両側縁のうちの近い方向に向かって延びるように切込部４４（以下、第１の切込部ともいう）が形成されている。後身頃Ｂは加齢に伴う変形（臀部の頬がこける等の身体形状変形）が大きいため、前身頃Ａに比べ後身頃Ｂに前記切込部４４を形成させる方が効果的である。おむつ幅方向に延びる中心線ＣＬとは、展開且つ伸張状態における、おむつの長手方向の全長を２等分する線である。
【００２０】
第１の切込部４４は、図２に示すように、股下領域Ｃを、前記中心線ＣＬを境にして、背側股下部ＣＢと腹側股下部ＣＡに区分したときの背側股下部ＣＢに形成されている。第１の切込部４４の一端部４４ａは、背側股下部ＣＢにおける側縁４１に開口し、該切込部４４の他端部４４ｂは、背側領域Ｂに存する吸収体４の長手方向端縁４２の方向に向かって延びている。背側股下部ＣＢとは、股下領域Ｃに含まれ、かつ、中心線ＣＬと、背側端部方向の一対のレッグ開口部６、６の上端部６５、６５に囲まれた領域である。腹側股下部ＣＡとは、股下領域Ｃに含まれ、かつ、中心線ＣＬと、腹側端部方向の一対のレッグ開口部６、６の上端部６５、６５に囲まれた領域である。
【００２１】
本おむつ１においては、前身頃Ａにも切込部４５（以下、第２の切込部ともいう）が形成されている。
第２の切込部４５は、腹側股下部ＣＡに形成されており、その一端部は、腹側股下部ＣＡにおける側縁４１に開口し、該切込部４５の他端部は、腹側領域Ａに存する吸収体４の長手方向端縁４３の方向に向かって延びている。
【００２２】
第１の切込部４４の長さＬ（図４参照）は、不規則なシワの発生を防止しつつ、吸収体４を、脚周りないし臀部の肌面形状に沿った曲面形状に変形させる観点から２０〜１２０ｍｍであることが好ましく、より好ましくは３０〜８０ｍｍである。
第２の切込部４５の長さは、不規則なシワの発生を防止しつつ、吸収体４を、脚周りないし下腹部の肌面形状に沿った曲面形状に変形させる観点から１０〜１００ｍｍであることが好ましく、より好ましくは１５〜５０ｍｍである。
第１の切込部４４の長さＬは以下の方法で測定する。切込部４４により形成された開口部４４ａに接線４４Ａを引く。接線４４Ａ上で、かつ２接点４４Ａ'、４４Ａ''からの距離が等しくなる点を中点４４Ａ'''とする。中点４４Ａ'''と切込部４４により形成された先端部４４ｂとを結んだ距離を切込部４４の長さＬとする（図４参照）。第２の切込部４５の長さについても同様である。なお、開口部４４ａ付近の形状によって複数の接線が引ける場合には、２接点間の距離が最も短くなる接線を用いて長さＬを測定する。
【００２３】
第１の切込部４４は、不規則なシワの発生を防止しつつ、吸収体４を、脚周りないし臀部の肌面形状に沿った曲面形状に変形させる観点から、その長手方向中心線４４ｃ（図４参照；中点４４Ａ'''と切込部先端部４４ｂとを結んだ直線）と吸収体４の長手方向中心線４６とのなす角度のうち鋭角の角度θ１（図４参照）が４５〜８０°であることが好ましく、より好ましくは４５〜６０°である。
第２の切込部４５は、不規則なシワの発生を防止しつつ、吸収体４を、脚周りないし下腹部の肌面形状に沿った曲面形状に変形させる観点から、その長手方向中心線４４ｃと、吸収体４の長手方向中心線４６とのなす角度のうち鋭角の角度θ１〔図４参照〕が、５〜３０°であることが好ましく、より好ましくは１０〜２５°である。臀部と腹部の形状の違いを考慮すると、吸収体のフィット性向上、装着感向上の観点から、第１の切込部の前記角度θ１の値が第２の切込部の前記角度θ１の値よりも大きいことが好ましい。
【００２４】
第１の切込部４４は、切込部を閉じた際にシワの発生が少ないことから、それぞれ、吸収体４の側縁４１側の開口部４４ａから先端部４４ｂに向かうに従って漸次幅が減少する形状であることが好ましく、特に本実施形態におけるように、平面視して略Ｖ字状であることが好ましい。第２の切込部４５についても同様である。
第１の切込部４４は、不規則なシワの発生を防止しつつ、吸収体４を、脚周りないし臀部の肌面形状に沿った曲面形状に変形させる観点から、開口部４４ａ側の開口幅Ｗ（図４参照）が２０〜１２０ｍｍであることが好ましく、より好ましくは３０〜８０ｍｍである。開口部４４ａ側の開口幅Ｗ（図４参照）とは、開口部４４ａに引いた接線４４Ａ上の２接点４４Ａ’、４４Ａ”間の最短距離をいう。第２の切込部４５についても同様である。
【００２５】
本実施形態のおむつ１は、図１に示すように、自然状態とされた時に第１及び第２の切込部４４，４５が閉じるように、切込部閉鎖用の弾性部材６３，６４が配設されている。
詳細には、図２及び図４に示すように、第１の切込部４４を閉鎖させるための弾性部材６３が第１の切込部４４と交差するように配されており、また、第２の切込部４５を閉鎖させるための弾性部材６４が、第２の切込部４５と交差するように配されている。交差とは直接交わる場合以外に、他の部材が介在し、間接的に交わる場合も含む。
「切込部が閉じるように」とは、自然状態で、完全あるいはほぼ完全に閉じる場合に限られず、側縁間の距離が短くなる場合も含まれる。
【００２６】
切込部閉鎖用の弾性部材６３を配することにより、不規則なシワの発生を防止しつつ、吸収体４を、脚周りないし臀部の肌面形状に沿った曲面形状に変形させることができ、優れた装着感が得られる。
切込部閉鎖用の弾性部材６４を配することにより、不規則なシワの発生を防止しつつ、吸収体４を、脚周りないし下腹部の肌面形状に沿った曲面形状に変形させることができ、優れた装着感が得られる。
吸収体を肌に密着させるという吸収体のフィット性の観点、及び、ゴム接着用接着剤の肌当接面への染み出しによる肌トラブルの防止の観点から、弾性部材６３，６４は、おむつの厚み方向において、吸収体４よりも外側（非肌当接面側）に配されていることが好ましい。本実施形態における弾性部材６３，６４は、外装体２０を構成する両シート２１，２２間に、接着剤を介して伸張状態で固定されており、また、弾性部材６３，６４は、それぞれ、複数本配されていることが好ましく、２本〜８本がより好ましく、２本〜５本が更に好ましい。図示の例においては、弾性部材６３，６４がそれぞれ２本略平行に配されているが、一本又は３本以上を配することもできる。
【００２７】
弾性部材６３、６４は、立体形状とされた時に切込部が確実に閉鎖されるようにする観点から、それぞれ閉鎖しようとする切込部４４，４５との交差角度（交差部に生じる二つの角度のうち小さい方の角度）θ２（図４参照，切込部４４ととの交差角度のみ図示）が４５〜９０°であることが好ましく、より好ましくは６０〜９０°である。弾性部材６３，６４それぞれにおいて、交差角度θ２が２つある場合には、弾性部材６３，６４それぞれにおいて、少なくとも一つの前記交差角度θ２が前記条件を満たせば良い。ただし、切込部の閉鎖性を向上させる観点から、弾性部材６３，６４それぞれにおいて、２つの交差角度θ２が存在し、かつ、前記２つの交差角度θ２が前記条件を満たすことが最も好ましい。
【００２８】
本おむつ１における弾性部材６３は、一端部６３ａが背側領域Ｂに配されており、他端部６３ｂ近傍が、背側股下部ＣＢにおいて吸収体４と重なるように配されている。弾性部材６３の一端部６３ａは、背側領域Ｂにおける両側縁部Ｂ１，Ｂ１に位置していることが好ましい。弾性部材６３の吸収体と重なる部分は、接着剤やヒートシール等の公知の接合手段により直接、又は他のシートを介在させて間接的に吸収体４に固定されていることが好ましい。
弾性部材６３を、このように配することで、おむつの臀部に対するフィット性を向上させることができ、特に着用者の起立時に着用者の臀部から腰にかけて生じ易い、おむつの弛みを防止でき、装着感及び外観を一層向上させることができる。
【００２９】
弾性部材６３は、吸収体を横断して連続した状態で配されていても良いが、本実施形態におけるように、左右に分割（分離）された状態で配されていることが、吸収体４のシワに起因する装着性の低下、肌トラブルの誘発及び吸収体の幅縮みによる防漏効果の低減を防止する観点から好ましい。
尚、弾性部材６３，６４は、上述したウエスト弾性部材５１、レッグ弾性部材６１，６２及び胴回り弾性部材７１とは別に設けられている。また、弾性部材６３の他端部６３ｂは、背側股下部ＣＢに位置している。
【００３０】
おむつ１は、ウエスト回り領域Ｄ及び胴回り領域Ｅがそれぞれ周方向に弾性伸縮性を有している。
ウエスト回り領域Ｄ及び胴回り領域Ｅは、それぞれ、前身頃及び後身頃の双方において弾性伸縮性を有することが、活動時に発生したシワが、着用時の肌に擦れて不快の原因になることを防止する観点から好ましい。
【００３１】
本発明のおむつが、パンツ型のおむつである場合、以下の要件（１）〜（４）を満たすことが好ましい。
（１）胴回り領域Ｅは、おむつの幅方向に荷重１０Ｎとなるまで伸張させた後、荷重１０Ｎ時の長さと自然長との中間の長さまで収縮させた時点の荷重（以下、胴回り荷重ともいう）が０．５〜２．０Ｎである。
（２）ウエスト回り領域Ｄは、おむつの幅方向に荷重１０Ｎとなるまで伸張させた後、荷重１０Ｎ時の長さと自然長との中間の長さまで収縮させた時点の荷重（以下、ウエスト回り荷重ともいう）が３．０〜５．０Ｎである。
（３）ウエスト回り荷重（ａ）に対する前記胴回り荷重（ｂ）の比（ｂ／ａ）が０．５０以下である。
（４）一対のレッグ開口部６，６間に位置する領域Ｐ２（図５参照；後述）の面積が１５０〜３００ｃｍ2である。
【００３２】
従来、複数の弾性部材を周方向に配設して胴回りギャザーを形成したパンツ型おむつが知られている。このような使い捨ておむつにおいて、胴回りギャザーによる過度の締め付けによる不都合（下腹部の圧迫感等）を防止するには、締め付け力を低減すれば良いが、その場合には、おむつのズレ落ちが生じやすくなる。
パンツ型おむつにおいて、上記要件（１）〜（４）を満たすことにより、おむつのズレ落ちを防止しつつ、胴回り荷重を低めに設定することができ、それにより、胴回りの締め付け過ぎを防止して装着感の一層の向上を図ることができる。しかも単に胴回り荷重を低めに設定する以上のゆったり感を胴回りから下腹部にかけての範囲に持たせることができることができ、切込部及び切込部閉鎖用の弾性部材により吸収体のシワによる違和感が防止されることとも相俟って、おむつ全体としての装着感が向上する。
【００３３】
上述した各要件について、より詳細に説明する。
〔上記要件（１）について〕
胴回り荷重を０．５Ｎ以上にすることで、着用時にお腹回りに発生したシワが、活動時にズボン等の重ねて着用される衣類により着用者の肌に擦れて不快の原因となることを防止でき、２．０Ｎ以下とすることで、お腹回りの締め付け力を低減して、着用者（特に高齢者）にゆったりとした快適な装着感を与えることができる。ズレ落ちの発生やシワによる不快感の発生を防止しつつ、着用者にゆったりとした快適な装着感を一層向上させる観点から、胴回り荷重は０．５〜１．３Ｎであることがより好ましい。
【００３４】
〔上記要件（２）及び（３）について〕
ウエスト回り荷重を３．０Ｎ以上とすると共に前記荷重比（ｂ／ａ）を０．５以下とすることにより、胴回り荷重を低減させることによるズレ落ち防止力の低下をウエスト回り荷重の締め付け力で充分に補うことができ、活動時におむつのズレ落ちが生じにくくなる。また、ウエスト回り荷重を５．０Ｎ以下とすることにより、必要以上に着用者のウエスト回りを締め付けることがなくなり、過度の締め付けにより苦しさを感じたり、血行が妨げられる等の不都合が生じにくくなる。ズレ落ちの発生を防止しつつ、ゆったりとした良好な装着感を得る観点から、ウエスト回り荷重は３．５〜４．５Ｎであることがより好ましい。
【００３５】
〔上記要件（４）について〕
前記領域Ｐ２の面積を上記特定の範囲とすることにより、胴回り荷重を上記の範囲に設定する以上に、着用者の胴回りから下腹部にかけての範囲にゆったり感を持たせることができる。この効果は、加齢に伴って腹部が著しく増大した高齢者、特に高齢女性について顕著である。前記領域Ｐ２の面積は３００〜７００ｃｍ2であることがより好ましく、特に好ましくは４００〜６００ｃｍ2である。領域Ｐ２の面積を１５０ｃｍ2 以上、特に３００ｃｍ2にすることにより、吸収体の配置面積を充分にとることができ、また、下腹部の過度の露出を防止して高齢者の嗜好に適合させることができる。
【００３６】
〔胴回り荷重の測定方法〕
おむつから胴回り領域Ｅを、腹側領域Ａと背側領域Ｂとが連結されたリング状の状態のまま切り取り、これをサンプルとする。このサンプルを、水平な面上に、背側領域の外面が、該水平な面に当接するように載置し、かつ、押え付け、自然に収縮した状態における該サンプルの両端部間（左右のサイド接合部２３同士間）の長さを測定して自然長とする。自然長は、サンプルの上縁部と下縁部との間を２等分する中央線に沿って測定する。
そして、テンシロン引っ張り試験機〔（株）オリエンテック社製、「ＲＴＣ−１１５０Ａ」〕のチャック間に固定し、更に、チャック間を１０ｍｍ縮めてサンプルを弛ませ、その時の荷重をゼロとする。その後速度３００ｍｍ／ｍｉｎで、おむつ幅方向と同じ方向に荷重が１０Ｎとなるまで伸張させ、次いで、チャックの移動方向を逆にして同じ速度で荷重ゼロとなるまで収縮させる。
そして、荷重１０Ｎとなるまで伸張させたときのサンプル長を強伸張時長とし、収縮(戻り)過程における、該強伸張時長と前記自然長との中間の長さ〔（強伸張時長−自然長）／２〕となった時点の荷重を、胴回り荷重とする。
【００３７】
〔ウエスト回り荷重の測定方法〕
おむつからウエスト回り領域Ｄを、腹側領域Ａと背側領域Ｂとが連結されたリング状の状態のまま切り取り、これをサンプルとする以外は、上述した胴回り荷重の測定方法と同様にして測定する。
【００３８】
本おむつ１は、図６に示すように、おむつ幅方向に延びる中央線ＣＬにより区分される前記前身頃Ｆと前記後身頃Ｇとを、前記表面シート２側の面同士を面接させて重ね合わせた状態において、各レッグ開口部６の開口縁部６Ａ，６Ｂに囲まれた各領域Ｐ１の面積（ｃ）と、前身頃Ａにおける、一対のレッグ開口部６，６間に位置する領域Ｐ２の面積（ｄ）との比（ｃ／ｄ）が０．３０〜０．７５、特に０．３５〜０．５０であることが好ましい。尚、前記面積（ｃ）は、各レッグ開口部について測定する。前身頃Ａにおける、一対のレッグ開口部６，６間に位置する領域Ｐ２とは、前身頃Ａにおいて、一対のレッグ開口部６，６と、おむつ幅方向に伸びる中心線ＣＬ、一対のレッグ開口部６、６の上端部６５、６５を結んだ線、とで囲まれた領域を指す。
【００３９】
各領域Ｐ１，Ｐ２の面積（後述するその他の寸法等も同様）を測定する際には、前身頃Ａ又は後身頃Ｂにおけるレッグ開口部間にギャザーにより弾性伸縮性が付与されている場合には、該ギャザーを設計寸法まで引き延ばした状態として測定する。
前記比（ｃ／ｄ）を０．３０以上とすることにより、装着感が一層確実に向上し、前記比（ｃ／ｄ）を０．７５以下とすることにより、吸収体の配置面積を充分確保することができ、また、下腹部の露出の程度が小さくなり高齢者の嗜好に適合させることもできる。更に、０．３０〜０．７５の範囲内とすることで、レッグ開口部に対する脚の挿通性を向上させることもできる。
【００４０】
装着感を一層確実に向上させ、また、吸収性能の確保や高齢者の嗜好への適合を一層確実に防止する観点から、各レッグ開口部６の開口縁部６Ａ，６Ｂに囲まれた各領域Ｐ１の面積（ｃ）は９０〜２５０ｃｍ2、特に１２０〜２００ｃｍ2であることが好ましい。
また、同様の観点から、両レッグ開口部６，６間の最小幅Ｗ１（図５参照）の値は１００〜２００ｍｍ、特に１２０〜１８０ｍｍであることが好ましい。
【００４１】
本実施形態のおむつ１は、一対のレッグ開口部６，６間の幅が最小となる部位６６、６６が、中心線ＣＬから腹側に３５〜１４０ｍｍ離間した位置に存在している。即ち、本実施形態のおむつ１は、図２に示すように、レッグ開口部６形成用の凹欠部６０の形状を、後身頃Ｇよりも前身頃Ｆを大きく切り欠いた形状としてあり、一対のレッグ開口部６，６間の幅が最小となる部位６６，６６が、前身頃Ａに位置しており、おむつ幅方向に延びる中心線ＣＬから前記幅が最小値を示す部位６６，６６までの距離Ｌ１（図２参照）が３５〜１４０ｍｍである。
斯かる構成により、装着感を一層確実に向上させることができる。尚、前記幅が最小値を示す部位６６，６６が、おむつ長手方向に幅を有し領域として存在する場合、その幅を２等分する線（おむつ幅方向に延びる線）までの距離を、おむつ幅方向に延びる中心線ＣＬからの離間距離Ｌ１とする。
【００４２】
また、本実施形態のおむつ１は、胴回り領域Ｅの自然長に対するウエスト回り領域Ｄの自然長の比（前者／後者）が０．７０〜１．００である。ウエスト回り領域Ｄの自然長と胴回り領域Ｅの自然長とを比較的近い値に設定することによりウエスト回り領域Ｄに不自然なシワが発生することを防止できる。即ち、視力の低下した高齢者は、不自然なシワが多く生じていると、視覚の混乱によりウエスト開口部を認識しにくくなる場合があるが、自然長差を抑えて不自然なシワの発生を防止することで、このような問題の発生を防止することができる。
尚、胴回り領域Ｅ及びウエスト回り領域Ｄそれぞれの自然長は、おむつから上述した胴回り荷重又はウエスト回り荷重の測定方法と同様にして各領域をそれぞれ切り出し、各サンプルについて、その上縁部と下縁部との間を２等分する中央線に沿って自然長を測定する。
【００４３】
本おむつ１における弾性部材６１、７１は、吸収体の左右に分割配置されており、何れの弾性部材６１，７１も、吸収体４の少なくとも幅方向中央部においては弾性伸縮性を発現していない。本発明のおむつは、吸収体４の幅方向中央部には、該吸収体４の長手方向の全長にわたって弾性部材が配されていないことが好ましい。吸収体を横断して弾性部材が存在すると、吸収体の幅が弾性部材の収縮力により狭くなり、歩行時の活動によって、吸収体の位置が着用者の排泄部の位置からずれて漏れを発生させる恐れが生じる。吸収体４の幅方向中央部に弾性部材を配さないことで、吸収体の幅を広く維持してこのような不都合を防止することができる。前記切込部閉鎖用の弾性部材のおむつ幅方向中央側の端部同士の離間距離が、おむつ全幅の１／５〜３／５であることが好ましい。
【００４４】
上述した実施形態の使い捨ておむつにおける各部の形成材料について説明する。表面シート２、裏面シート３、吸収体４、立体ガード７、外層シート２１及び内層シート２２等の形成材料としては、従来の使い捨ておむつ等において用いられている各種の材料を用いることができる。例えば、吸収体４としては、親水性繊維の集合体又はこれに高吸水性ポリマーを保持させてなるもの等を用いることができる。このような吸収体としては、パルプ繊維の積繊物やパルプ繊維と高吸水性ポリマーとの混合積繊物等を用いることができるが、このような積繊物に、アセテートトウなどの繊維を含ませたり、このような積繊物と紙や不織布等を組み合わせて吸収体とすることもできる。本実施形態における切込部４４，４５は、吸収体４の構成材料である親水性繊維の集合体の一部を切り欠いて形成してある。吸収体４は、親水性繊維の集合体又はこれに高吸水性ポリマーを保持させてなる吸収性コアの表面を、液透過性の薄紙や不織布で被覆してあるものであっても良く、切込部が閉鎖した状態は、切込部を挟んで相対向する吸収性コアの部分同士が直接接触していても良いし、薄紙や不織布を介在した状態で互いに密着していても良い。
【００４５】
前記弾性部材５１，６１，６２，７１，６３、６４の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプ等の、糸状や紐状のもの、或いは帯状のもの等を用いることができる。
【００４６】
以上、本発明の好ましい実施形態について説明したが、本発明は、上述した実施形態に制限されない。
本発明の使い捨ておむつは、成人用のパンツ型おむつ、特に高齢者用に適しているが、幼児用のパンツ型おむつに適用することもできる。幼児用のおむつの場合には、ウエスト回り領域Ｄは、ウエスト開口部の開口周縁端から３０ｍｍ下方までの領域とする。更に、いわゆるテープ止めタイプのおむつに適用することもできる。
第２の切込部（切込部）は、省略可能である。ノッチ閉鎖用の弾性部材６３，６４は、吸収体の側縁側のノッチの端部近傍に、該ノッチと交差しないように配されていても良い。
【実施例】
【００４７】
＜実施例１＞
外装体形成用の外層及び内層シートとして何れも不織布を用いて、上記実施形態のおむつ１と同様の構成を有するおむつを製造した。
製造したおむつについて、切込部の有無、切込部の位置、切込部閉鎖用弾性部材の構成、切込部閉鎖用弾性部材と切込部の交差角度、ウエスト回り荷重、胴回り荷重、一対のレッグ開口部間の幅Ｗ１の最小値、該最小値を示す部位のおむつ下端部からの離間距離（腹側方向への離間距離）Ｌ１、前記領域Ｐ１の面積ｃ（左右の平均値，左右各別の値もほぼ同じ）、前記領域Ｐ２の面積ｄ、前記比（ｃ／ｄ）等を測定して表１に示した。
【００４８】
＜比較例１〜４＞
切込部の有無、切込部の位置、切込部閉鎖用弾性部材の構成、切込部閉鎖用弾性部材と切込部の交差角度、胴回り荷重、一対のレッグ開口部間の幅Ｗ１の最小値、該最小値を示す部位のおむつ下端部からの離間距離（腹側方向への離間距離）Ｌ１、及び前記領域Ｐ１の面積ｃ（左右の平均値，左右各別の値もほぼ同じ）、前記領域Ｐ２の面積ｄ、前記比（ｃ／ｄ）が表１に示す通りである使い捨ておむつを製造した。
【００４９】
比較例１は、前身頃及び後身頃において切込部閉鎖用弾性部材が配設されていないことのみが実施例１との違いであり、それ以外は実施例１と同様の構成を有する使い捨ておむつである。
比較例２は、前身頃及び後身頃において切込部が配設されていないことのみが実施例１との違いであり、それ以外は実施例１と同様の構成を有する使い捨ておむつである。
比較例３は、前身頃及び後身頃において切込部及び切込部閉鎖用弾性部材が配設されていないことのみが実施例１との違いであり、それ以外は実施例１と同様の構成を有する使い捨ておむつである。
比較例４は、胴回り荷重、一対のレッグ開口部間の幅Ｗ１の最小値、該最小値を示す部位のおむつ下端部からの離間距離（腹側方向への離間距離）Ｌ１、及び前記領域Ｐ１の面積ｃ（左右の平均値，左右各別の値もほぼ同じ）、前記領域Ｐ２の面積ｄ、前記比（ｃ／ｄ）が実施例１と異なる以外は、実施例１と同様の構成を有する使い捨ておむつである。
【００５０】
＜性能評価＞
１、装着感（吸収体の肌へのフィット性）
各おむつを、形態的に高齢女性の腰部を模してある腰部モデルに、ウエスト開口周縁端（上端縁）の位置がウエスト（胴の最も細い位置での周長線上）に位置するように装着した。
また、予め、前記腰部モデルの肌表面上で、かつ、おむつ装着時に吸収体の切込部が当接する位置に、装着圧測定装置（（株）エイエムアイ・テクノ製の接触圧測定器（ＡＭＩ３０３７−２））に接続された受圧センサ（φ＝１５ｍｍのエアパック）を配置し、固定する。
脱着を３回繰り返し計３回の測定を行ない、前身頃及び後身頃のそれぞれにおける装着圧の平均値を、前身頃の吸収体装着圧、及び後身頃の吸収体装着圧とした。結果を表１に示した。
【００５１】
前身頃及び後身頃の吸収体装着圧（上述の方法にて測定した装着圧をいう）は、０．３５ｋＰａ以上２．０ｋＰａ以下が好ましく、０．４０ｋＰａ以上１．２ｋＰａ以下がより好ましい。０．３５ｋＰａ未満の場合は、吸収体装着圧の測定毎のばらつきが大きく安定した吸収体装着圧を達成できない。吸収体装着圧が安定しない場合には、体型の個人差や活動時の体型変化によっては吸収体の肌へのフィット性が著しく低下する恐れがあり好ましくない。０．１０ｋＰａ以下の場合は、エアパックの厚みが吸収体装着圧の値に大きく影響しており、実際には吸収体が肌に接していない可能性がある。そのため、０．１０ｋＰａ以下の場合は、吸収体装着圧のばらつきの大小に関わらず好ましくない。２．０ｋＰａより大きい場合は、吸収体装着圧がウエスト回りや胴回りのおむつの装着圧を超え、不必要な強い刺激、不快感を着用者の肌に与えてしまうため好ましくない。一般的なパンツ型使い捨ておむつのウエスト回り及び胴回りのおむつの装着圧は、１．０〜２．０ｋＰａの範囲内にある。
【００５２】
前身頃において、「前記腰部モデルの肌表面上で、かつ、おむつ装着時に吸収体の切込部が当接する位置」とは、ヒップ囲を形成する線上にあり、かつ腹側正中線から前記線に沿って６０ｍｍ離れた点から、腹側正中線に平行にウエスト端縁５０Ａ方向に４０ｍｍ離れた位置をいう。
後身頃において、「前記腰部モデルの肌表面上で、かつ、おむつ装着時に吸収体の切込部が当接する位置」とは、ヒップ囲を形成する線上にあり、かつ背側正中線から前記線に沿って６０ｍｍ離れた位置をいう。
【００５３】
形態的に高齢女性の腰部を模してある腰部モデルの各部寸法は以下の通りである。ウエスト囲＝７６０ｍｍ、ヒップ囲＝８６７ｍｍ、ウエスト幅＝２５２ｍｍ、ヒップ幅＝３２４ｍｍ、臀部厚径＝２２４ｍｍ、大腿囲＝３９０ｍｍ、股下−前ウエスト間距離＝２５５ｍｍ、股下−後ウエスト間距離＝２３８ｍｍ、股下−臀部突出点間距離＝４８ｍｍ、股上前後の長さ＝７３６ｍｍ。
【００５４】
「ウエスト囲」とは、胴の最も細い位置での周長をいう。
「ヒップ囲」とは、臀部突出点の高さでの水平周長をいう。
「ウエスト幅」とは、胴の最も細い位置の高さで左右体側間の水平距離をいう。
「ヒップ幅」とは、臀部の左右最外突出部間の水平距離をいう。
「臀部厚径」とは、臀部突出点から体幹前縁までの水平距離をいう。
「大腿囲」とは、臀溝より下の位置で大腿が最も太い部位の水平周長をいう。
「股下−前ウエスト間距離」とは、股の最上位にセルロイド版を水平に挟み、前ウエスト点からセルロイド版上面までの垂直距離をいう。
（「前ウエスト点」とは、ウエスト囲を形成する線と腹側正中線とが交差する点をいう）
「股下−後ウエスト間距離」とは、股の最上位にセルロイド版を水平に挟み、後ウエスト点からセルロイド版上面までの垂直距離をいう（「後ウエスト点」とは、ウエスト囲を形成する線と背側正中線とが交差する点をいう）。
「股下−臀部突出点間距離」とは、股の最上位にセルロイド版を水平に挟み、臀部突出点からセルロイド版上面までの垂直距離をいう。
「股上前後長」とは、メジャーを股にくぐらせて測った前後ウエスト点間の長さをいう。
また、前記腰部モデルの形状は左右対称となっている。
【００５５】
２）ズレ落ち防止性（歩行時）
各おむつを、立位で両脚を前後させる歩行運動が可能であり、形態的に成人女性の腰部を模してある可動式の腰部モデル（各部寸法は前述）に、ウエスト開口周縁端（上端縁）の位置がウエスト（胴の最も細い位置での周長線上）に位置するように装着した。その状態で１００歩/分の歩行速度で５分間歩行運動をさせ、運動後に１５０ｃｃの人口尿を注入して更に５分間歩行させ、その後更に１５０ｃｃの人口尿を注入して５分間歩行させ、その歩行運動後に、ウエスト開口周縁端（上端縁）の位置が元の位置からズレた距離（ズレ落ち量）を測定した。結果を表１に示した。
【００５６】
【表１】
2006043067.tif 000003
【００５７】
表１に示す評価結果から、本発明の実施例１は、比較例１〜４に比較し、吸収体の肌へのフィット性およびズレ落ち防止性に優れることがわかる。
比較例１の吸収体装着圧は前身頃及び後身頃において０．３５ｋＰａ未満であり、実施例１に比べ吸収体が肌に充分フィットしていない。
比較例２の吸収体装着圧は前身頃及び後身頃において０．３５ｋＰａ未満であり、実施例１に比べ吸収体が肌に充分フィットしていない。比較例２は比較例１、比較例３に比べると高い吸収体装着圧を示しているが、実施例１に比べると吸収体装着は低く、かつ測定値のばらつきが大きいため、体型の個人差や活動時の体型変化によっては吸収体の肌へのフィット性が著しく低下する恐れがある。
比較例３の吸収体装着圧は前身頃及び後身頃において０．３５ｋＰａ未満であり、実施例１に比べ吸収体が肌に充分フィットしていない。
比較例４の吸収体装着圧は前身頃及び後身頃において０．３５ｋＰａ以上２．０ｋＰａ以下の範囲内にあり、充分な吸収体装着圧を達成しているが、ズレ落ち量が実施例１に比べ悪化している。
【００５８】
実施例１および比較例１〜３の比較から、吸収体長手方向側縁の切込部および切込部閉鎖用弾性部材の両者が組み合わさることにより大幅に吸収体装着圧が改善し、充分な吸収体の肌へのフィット性が達成できることがわかる。また、実施例１および比較例４の比較から、本発明により、充分な吸収体装着圧を達成すると共に、胴回りから下腹部にかけてのゆったり感（胴周り荷重の低減）とズレ落ち防止性という相反する作用を同時に達成することでき、おむつ全体としての優れた装着感を達成できることがわかる。
【図面の簡単な説明】
【００５９】
【図１】図１は、本発明の一実施形態としての使い捨ておむつを、その後身頃側から見た状態を示す斜視図である。
【図２】図２は、図１の使い捨ておむつの展開且つ伸張状態を示す平面図である。
【図３】図３は、図２のＸ−Ｘ線断面図である。
【図４】図４は、図１の使い捨ておむつにおける、切込部部周辺を拡大して示す模式平面図である。
【図５】図５は、図１の使い捨ておむつを、前身頃と後身頃とを表面シート側の面同士を面接させて重ね合わせた平面状態として、前身頃側から見た図であり、前身頃の一部を破断してある。
【符号の説明】
【００６０】
１    使い捨ておむつ
２    表面シート
３    裏面シート
４    吸収体
５    ウエスト開口部
６    レッグ開口部
１０  吸収性本体
２０  外装体
４４  第１の切込部（切込部）
４５  第２の切込部（切込部）
６３，６４  切込部閉鎖用の弾性部材
Ａ    腹側領域
Ｂ    背側領域
Ｃ    股下領域
【図１】
2006043067.tif 000004
【図２】
2006043067.tif 000005
【図３】
2006043067.tif 000006
【図４】
2006043067.tif 000007
【図５】
2006043067.tif 000008